(57)【要約】【課題】ＩＭＳモバイルネットワークにおいて、ネットワークデータベースノードにアクセスする装置および方法を提供すること。【解決手段】インターネットプロトコルマルチメディアサブシステムモバイルネットワークにおいて、ネットワークデータベースノードへのアクセスを容易にする装置であって、該装置は、第１のプロトコルに従ってフォーマットされたインスタンス識別子の第１の指示を受信するように適応されたプロトコル変換器であって、該プロトコル変換器は、該インスタンス識別子の該指示を、第２のプロトコルに従ってフォーマットされた該インスタンス識別子の第２の指示に変換するように構成されている、プロトコル変換器と、該第２のプロトコルに従ってフォーマットされた該第２のインスタンス識別子の該第２の指示を該ネットワークデータベースノードに転送するように構成されるフォーワーダとを備えている、装置が提供される。【選択図】図５
2008172794.tif 000002
【特許請求の範囲】
【請求項１】
インターネットプロトコルマルチメディアサブシステム（ＩＭＳ）モバイルネットワークにおいて、ネットワークデータベースノードへのアクセスを容易にする装置であって、該装置は、
第１のプロトコルに従ってフォーマットされたインスタンス識別子の第１の指示を受信するように適応されたプロトコル変換器であって、該プロトコル変換器は、該インスタンス識別子の該指示を、第２のプロトコルに従ってフォーマットされた該インスタンス識別子の第２の指示に変換するように構成されている、プロトコル変換器と、
該第２のプロトコルに従ってフォーマットされた該第２のインスタンス識別子の該第２の指示を該ネットワークデータベースノードに転送するように構成されているフォーワーダと
を備えている、装置。
【請求項２】
前記ネットワークデータベースノードは、機器識別レジスタ（ＥＩＲ）を備えており、前記フォーワーダは、該機器識別レジスタに前記インスタンス識別子の前記第２の指示を転送するように構成されている、請求項１に記載の装置。
【請求項３】
前記インスタンス識別子の前記第１の指示は、前記プロトコル変換器により受信され、該インスタンス識別子は、ＩＭＥＩ（国際モバイル機器識別）の値を備えている、請求項１に記載の装置。
【請求項４】
前記インスタンス識別子の前記第１の指示は、サードパーティの登録プロセスに従って前記プロトコル変換器に提供される、請求項１に記載の装置。
【請求項５】
前記インスタンス識別子の前記第１の指示は、登録イベントに従って前記プロトコル変換器に提供される、請求項１に記載の装置。
【請求項６】
前記第１のプロトコルに従って、前記インスタンス識別子の前記第１の指示はフォーマットされ、該第１のプロトコルは、セッション開始プロトコルを備えている、請求項１に記載の装置。
【請求項７】
前記第２のプロトコルに従って、前記インスタンス識別子の前記第２の指示はフォーマットされ、該第２のプロトコルは、ＭＡＰ（モバイルアプリケーションパート）フォーマットを備えている、請求項１に記載の装置。
【請求項８】
前記第２のプロトコルに従って、前記インスタンス識別子の前記第２の指示はフォーマットされ、該第２のプロトコルは、ＤＩＡＭＥＴＥＲフォーマットを備えている、請求項１に記載の装置。
【請求項９】
前記プロトコル変換器は、ＳＩＰアプリケーションサーバを備えている、請求項１に記載の装置。
【請求項１０】
前記フォーワーダは、ＳＩＰアプリケーションサーバを備えている、請求項１に記載の装置。
【請求項１１】
前記インスタンス識別子が有効な値を備えているかどうかを決定するように構成されている、インスタンス識別子チェッカをさらに備えている、請求項１に記載の装置。
【請求項１２】
インターネットプロトコルマルチメディアサブシステム（ＩＭＳ）モバイルネットワークにおいて、ネットワークデータベースノードへのアクセスを容易にする方法であって、該方法は、
モビリティ関連イベントに従ってモバイル機器のインスタンス識別子の第１の指示を提供する動作であって、該インスタンス識別子は第１のプロトコルに従ってフォーマットされる、動作と、
該第１のプロトコルに従ってフォーマットされた該インスタンス識別子の該第１の指示を該インスタンス識別子の第２の指示に変換する動作であって、該第２のインスタンス識別子は第２のプロトコルに従ってフォーマットされる、動作と、
該第２のプロトコルに従って該インスタンス識別子の該第２の指示を該ネットワークデータベースノードに転送する動作と
を含む、方法。
【請求項１３】
前記ネットワークデータベースノードは、機器識別レジスタ（ＥＩＲ）を備えており、前記転送する動作は、該機器識別レジスタに前記識別子の前記第２の指示を転送することを包含する、請求項１２に記載の方法。
【請求項１４】
前記インスタンス識別子の前記第１の指示は、前記提供する動作の間に提供され、該インスタンス識別子は、ＩＭＥＩ（国際モバイル機器識別）の値を備えている、請求項１２に記載の方法。
【請求項１５】
前記インスタンス識別子の前記第１の指示は、前記提供する動作の間に、サードパーティの登録プロセスに従って提供される、請求項１２に記載の方法。
【請求項１６】
前記インスタンス識別子の前記第１の指示は、前記提供する動作の間に、登録イベントに従って提供される、請求項１２に記載の方法。
【請求項１７】
前記第１のプロトコルに従って、前記インスタンス識別子の前記第１の指示はフォーマットされ、該第１のプロトコルは、セッション開始プロトコル（ＳＩＰ）を備えている、請求項１２に記載の方法。
【請求項１８】
前記第２のプロトコルに従って、前記インスタンス識別子の前記第２の指示はフォーマットされ、該第２のプロトコルは、ＭＡＰ（モバイルアプリケーションパート）フォーマットを備えている、請求項１２に記載の方法。
【請求項１９】
前記第２のプロトコルに従って、前記インスタンス識別子の前記第２の指示はフォーマットされ、該第２のプロトコルは、ＤＩＡＭＥＴＥＲフォーマットを備えている、請求項１２に記載の方法。
【請求項２０】
前記インスタンス識別子の前記第１の指示は、無線波インタフェースおよび共通セッション制御機能（Ｓ−ＣＳＣＦ）によって提供される、請求項１２に記載の方法。
【請求項２１】
前記変換する動作は、ＳＩＰアプリケーションサーバにおいて行われる、請求項１２に記載の方法。
【請求項２２】
前記インスタンス識別子が有効な値を備えているかどうかを決定する動作をさらに含む、請求項１２に記載の方法。
【発明の詳細な説明】
【技術分野】
【０００１】
本発明は、概して、ＩＭＳ（ＩＰマルチメディアサブシステム）モバイルネットワークにおいて、機器識別レジスタ（ＥＩＲ）のようなネットワークデータベースノードにアクセスする方法に関する。さらに詳細には、本発明は、ＭＥ（モバイル機器）のＩＭＥＩ（国際モバイル機器識別子）またはＩＭＥＩＳＶ（国際モバイル機器識別子ソフトウェアバージョン）のようなインスタンス識別子をネットワークデータベースに転送する装置、および関連する方法に関する。
【０００２】
インスタンス識別子を含むＳＩＰフォーマットされた登録メッセージまたは他のメッセージは、ＭＡＰフォーマット、もしくはＤＩＡＭＥＴＥＲフォーマット、または他のフォーマットに変換され、その結果、インスタンス識別子はＥＩＲに伝達され得る。それにより、ＥＩＲ関連の動作は、ＭＡＰフォーマットよりもＩＰベースのフォーマットを使用するＩＭＳネットワークに提供され得る。
【背景技術】
【０００３】
通信するための無線通信システムの使用は、現代社会全体に普及している。無線通信システムにおいて、一組の通信ステーション間に広がる通信経路の少なくとも一部分は、無線リンクで規定される。無線リンクは、電磁スペクトルで規定され、有線接続が必要とされないので、無線リンクの使用は、通信ステーションを有線接続の必要性がない。結果として、改善された通信モビリティが提供される。さらに、無線リンクの使用は、有線接続が実行できない位置において、通信ステーションが配置および使用されることを可能にする。
【０００４】
セルラー通信システムは、無線通信システムの典型的な種類であり、セルラー通信システムの使用は、世界全体に広がっている。初期の世代のシステムは、主に、音声通信サービスに使用され、限定的なデータサービスが提供された。新たな世代のセルラー通信システムは、さらにデータが集中するデータ通信サービスを提供する。ユーザは、セルラー通信システムにおいて、一般的に、無線波インタフェースによる通信システムのネットワーク部分との通信接続性において寛容であるモバイルステーションの使用を介して通信する。
【０００５】
初期の世代のシステムは、主に、回路交換接続が、通信システムの通信ステーション間での通信の実施のために提供される回路交換通信技術に依存した。デジタル通信技術の発展および配備と共に、ますます、通信ステーション間でパケットベースの通信を提供するパケット交換通信接続の供給がなされている。パケット交換通信に対する継続的な進展によって、パケットベースの通信ネットワークおよびスキームに対する提案が示されている。ＩＭＳ（ＩＰマルチメディアサブシステム）は、音声、データ、シグナリング、および制御の通信および機能性を提供することを意図された全てのＩＰ（インターネットプロトコル）ベースのワイヤレスネットワークの定義に対する、３ＧＰＰ（第３世代パートナーシッププロジェクト）および３ＧＰＰ２（第３世代パートナーシッププロジェクト２）の成果である。
【０００６】
しかしながら、回路交換セルラー通信システムは、時には、モバイル機器、すなわちモバイルステーションの識別をデータベースに送信する能力を提供し、確認がデータベースで実行されることを可能にする。モバイル機器の識別は、例えば、ＩＭＥＩ（国際モバイル機器識別）値で表現される。代替的に、別の識別であるＩＭＥＩＳＶ（国際モバイル機器識別ソフトウェアバージョン）が使用され得、該ＩＭＥＩＳＶは、ＩＭＥＩを含み、機器のソフトウェアバージョンも含む。ＩＭＥＩは、ＩＭＥＩＳＶから引き出され得る。セルラー通信システムのオペレータは、データベースにおいて、またはデータベースと共に行われる確認または他の分析を介して、様々な情報を確かめることが可能である。オペレータは、例えば、モバイル機器が盗難されたかどうか、不安定なソフトウェアを使用して動作するかどうか、または任意の様々な他の情報を決定することが可能である。例えば、オペレータは、さらに、モバイル機器の能力を決定することが可能である。
【０００７】
対応する能力は、アクセスのためにＧＰＲＳのようなセルラーパケットデータシステムを使用しないＩＭＳベースであるシステム（例えば、ＷＬＡＮアクセスシステム）においては、現在、利用可能ではない。つまり、一般的な回路交換システムまたはＧＰＲＳを使用するシステムとは異なり、ユーザがモバイル機器を使用してＩＭＳネットワークにアクセスするときには、システムのオペレータは、モバイル機器に関する同じデータを同様に容易に獲得することができない。
【０００８】
ＩＭＳネットワークアーキテクチャは、概して、アクセス独立型である。メッセージ、例えば、ＳＩＰ（セッション開始プロトコル）メッセージを送信するために使用されるアクセス技術は、ＩＭＳネットワークの機能性に不利な影響を与えない。少なくとも１つの既存のセルラー通信システムにおいて、オペレータによって使用される、モバイル機器についての情報に関して確認するために利用可能なネットワークデータベースは、機器識別レジスタ（ＥＩＲ）である。既存のスキームにおいて、オペレータがＥＩＲまたは同等のデータベースノードの対応するチェックを提供する明確な方法が全く規定されていない。
【０００９】
ＩＭＳベースまたは他のセルラー通信システムにおける通信に関連するこの背景情報に鑑みて、本発明の顕著な改善が展開する。
【発明の開示】
【課題を解決するための手段】
【００１０】
本発明は、さらに、以下の手段を提供する。
【００１１】
（項目１）  
インターネットプロトコルマルチメディアサブシステム（ＩＭＳ）モバイルネットワークにおいて、ネットワークデータベースノードへのアクセスを容易にする装置であって、該装置は、
第１のプロトコルに従ってフォーマットされたインスタンス識別子の第１の指示を受信するように適応されたプロトコル変換器であって、該プロトコル変換器は、該インスタンス識別子の該指示を、第２のプロトコルに従ってフォーマットされた該インスタンス識別子の第２の指示に変換するように構成されている、プロトコル変換器と、
該第２のプロトコルに従ってフォーマットされた該第２のインスタンス識別子の該第２の指示を該ネットワークデータベースノードに転送するように構成されているフォーワーダと
を備えている、装置。
【００１２】
（項目２）  
上記ネットワークデータベースノードは、機器識別レジスタ（ＥＩＲ）を備えており、上記フォーワーダは、該機器識別レジスタに上記インスタンス識別子の上記第２の指示に関して転送するように構成されている、項目１に記載の装置。
【００１３】
（項目３）  
上記インスタンス識別子の上記第１の指示は、上記プロトコル変換器により受信され、該インスタンス識別子は、ＩＭＥＩ（国際モバイル機器識別）の値を備えている、項目１に記載の装置。
【００１４】
（項目４）  
上記インスタンス識別子の上記第１の指示は、サードパーティの登録プロセスに従って上記プロトコル変換器に提供される、項目１に記載の装置。
【００１５】
（項目５）  
上記インスタンス識別子の上記第１の指示は、登録イベントに従って上記プロトコル変換器に提供される、項目１に記載の装置。
【００１６】
（項目６）  
上記第１のプロトコルに従って、上記インスタンス識別子の上記第１の指示はフォーマットされ、該第１のプロトコルは、セッション開始プロトコルを備えている、項目１に記載の装置。
【００１７】
（項目７）  
上記第２のプロトコルに従って、上記インスタンス識別子の上記第２の指示はフォーマットされ、該第２のプロトコルは、ＭＡＰ（モバイルアプリケーションパート）フォーマットを備えている、項目１に記載の装置。
【００１８】
（項目８）  
上記第２のプロトコルに従って、上記インスタンス識別子の上記第２の指示はフォーマットされ、該第２のプロトコルは、ＤＩＡＭＥＴＥＲフォーマットを備えている、項目１に記載の装置。
【００１９】
（項目９）  
上記プロトコル変換器は、ＳＩＰアプリケーションサーバを備えている、項目１に記載の装置。
【００２０】
（項目１０）  
上記フォーワーダは、ＳＩＰアプリケーションサーバを備えている、項目１に記載の装置。
【００２１】
（項目１１）  
上記インスタンス識別子が有効な値を備えているかどうかを決定するように構成されている、インスタンス識別子チェッカをさらに備えている、項目１に記載の装置。
【００２２】
（項目１２）  
インターネットプロトコルマルチメディアサブシステム（ＩＭＳ）モバイルネットワークにおいて、ネットワークデータベースノードへのアクセスを容易にする方法であって、該方法は、
モビリティ関連イベントに従ってモバイル機器のインスタンス識別子の第１の指示を提供する動作であって、該インスタンス識別子は第１のプロトコルに従ってフォーマットされる、動作と、
該第１のプロトコルに従ってフォーマットされた該インスタンス識別子の該第１の指示を該インスタンス識別子の第２の指示に変換する動作であって、該第２のインスタンス識別子は第２のプロトコルに従ってフォーマットされる、動作と、
該第２のプロトコルに従って該インスタンス識別子の該第２の指示を該ネットワークデータベースノードに転送する動作と
を含む、方法。
【００２３】
（項目１３）  
上記ネットワークデータベースノードは、機器識別レジスタ（ＥＩＲ）を備えており、上記転送する動作は、該機器識別レジスタに上記識別子の上記第２の指示を転送することを包含する、項目１２に記載の方法。
【００２４】
（項目１４）  
上記インスタンス識別子の上記第１の指示は、上記提供する動作の間に提供され、該インスタンス識別子は、ＩＭＥＩ（国際モバイル機器識別）の値を備えている、項目１２に記載の方法。
【００２５】
（項目１５）  
上記インスタンス識別子の上記第１の指示は、上記提供する動作の間に、サードパーティの登録プロセスに従って提供される、項目１２に記載の方法。
【００２６】
（項目１６）  
上記インスタンス識別子の上記第１の指示は、上記提供する動作の間に、登録イベントに従って提供される、項目１２に記載の方法。
【００２７】
（項目１７）  
上記第１のプロトコルに従って、上記インスタンス識別子の上記第１の指示はフォーマットされ、該第１のプロトコルは、セッション開始プロトコル（ＳＩＰ）を備えている、項目１２に記載の方法。
【００２８】
（項目１８）  
上記第２のプロトコルに従って、上記インスタンス識別子の上記第２の指示はフォーマットされ、該第２のプロトコルは、ＭＡＰ（モバイルアプリケーションパート）フォーマットを備えている、項目１２に記載の方法。
【００２９】
（項目１９）  
上記第２のプロトコルに従って、上記インスタンス識別子の上記第２の指示はフォーマットされ、該第２のプロトコルは、ＤＩＡＭＥＴＥＲフォーマットを備えている、項目１２に記載の方法。
【００３０】
（項目２０）  
上記インスタンス識別子の上記第１の指示は、無線波インタフェースおよび共通セッション制御機能（Ｓ−ＣＳＣＦ）によって提供される、項目１２に記載の方法。
【００３１】
（項目２１）  
上記変換する動作は、ＳＩＰアプリケーションサーバにおいて行われる、項目１２に記載の方法。
【００３２】
（項目２２）  
上記インスタンス識別子が有効な値を備えているかどうかを決定する動作をさらに含む、項目１２に記載の方法。
【００３３】
（摘要）
ＩＭＳ（ＩＰマルチメディアサブシステム）モバイルネットワークが、機器ＩＤレジスタにＩＭＥＩまたはＩＭＥＩＳＶを送信する、装置および関連の方法が開示される。ユーザ機器のＩＭＥＩまたはＩＭＥＩＳＶを含むＳＩＰまたは他のＩＰベースのメッセージが、アプリケーションサーバに組み込まれたプロトコル変換器によって、ＭＡＰまたはＤＩＡＭＥＴＥＲメッセージに変換される。フォーワーダは、ＭＡＰまたはＤＩＡＭＥＴＥＲメッセージをＥＩＲに転送する。
【発明を実施するための最良の形態】
【００３４】
従って、本発明は、ＩＭＳ（ＩＰマルチメディアサブシステム）モバイルネットワークにおいて、機器識別レジスタ（ＥＩＲ）などのネットワークデータベースノードにアクセスする装置および関連した方法を有利に提供する。
【００３５】
本発明の実施形態の動作を介して、インスタンス識別子に転送する方法、例えばネットワークデータベースノードに対するＭＥ（モバイル機器）のＩＭＥＩ（国際モバイル機器識別）またはＩＭＥＩＳＶ（国際モバイル機器識別子ソフトウェアバージョン）などが提供される。
【００３６】
本発明の一局面において、インスタンス識別子を含むＳＩＰフォーマットされた登録メッセージ、または他のメッセージが、ＭＡＰ（モバイルアプリケーションパート）、またはＤＩＡＭＥＴＥＲ、または他のフォーマットに変換される。インスタンス識別子のＳＩＰフォーマットされたメッセージをＭＡＰフォーマットされたメッセージまたはＤＩＡＭＥＴＥＲフォーマットされたメッセージに変換することによって、インスタンス識別子は、ＥＩＲにルート可能となる。変換は自動的に実行され、一旦変換されると、インスタンス識別子は、ＥＩＲに転送される。
【００３７】
一旦ＥＩＲに伝達されると、ＥＩＲ関連の動作が提供される。関連したモバイル機器の能力、ＭＥが有効か否か、または反対に盗まれたか否かの決定、または関連したモバイル機器に内在するソフトウェアの種類の確認は、全てＥＩＲにおいて識別可能、確定可能、または確認されることが可能である。従って、ＥＩＲ関連の動作は、ＭＡＰフォーマットまたはＤＩＡＭＥＴＥＲフォーマットを用いるのではなく、ＩＰベースのフォーマットを用いるＩＭＳネットワークに提供される。
【００３８】
本発明の別の局面において、インスタンス識別子は、ＩＭＥＩ（国際モバイル機器識別子）、ＩＭＥＩ−ＳＶ（国際モバイル機器識別子ソフトウェアバージョン）、ＥＳＮ（）、ＭＡＣ（媒体アクセス制御）アドレス、または他の識別子を含む。インスタンス識別子は、モバイル機器によって、ＩＭＳ、すなわちモビリティ関連のイベントに従うモバイルネットワークに対して通信される。モビリティ関連のイベントは、例えばモバイル機器の登録、モバイル機器によるセッション発信、モバイル機器へのセッション終了、ミッドセッション発生、モバイル機器によるＳＭＳ（ショートメッセージサービス）発信、モバイル機器へのＳＭＳの終了、または他のイベントを含む。
【００３９】
本発明の別の局面において、例えば無線波インタフェースとしての、モバイル機器によって通信されるインスタンス識別子は、ＩＭＳモバイルネットワークに伝達され、次いでＣＳＣＦ（共通セッション制御機能）を介して、例えばＳＩＰフォームの第１にフォーマットされたインスタンス識別子を、例えばＭＡＰフォーマットまたはＤＩＡＭＥＴＥＲフォーマットで第２にフォーマットされたインスタンス識別子に変換する、機能的なエンティティにルートされる。また、インスタンス識別子を含むＭＡＰまたはＤＩＡＭＥＴＥＲでフォーマットされたメッセージは、ＥＩＲなどのネットワークデータベースノードにルートされる。フォーワーダ（ｆｏｒｗａｒｄｅｒ）は、ＭＡＰフォーマットまたはＤＩＡＭＥＴＥＲフォーマットされたメッセージをネットワークデータベースノードに転送するように動作する。
【００４０】
本発明の別の局面において、プロトコル変換器が、アプリケーションサーバに組み入れられ、ＳＩＰなどの第１のプロトコルに従ってフォーマットされたメッセージにおけるインスタンス識別子を受信するように構成される。プロトコル変換器は、インスタンス識別子を含むメッセージを、ＭＡＰまたはＤＩＡＭＥＴＥＲなどの第２のフォーマットに変換する。また、フォーワーダは、一旦第２にフォーマットされたメッセージにフォーマットされるとインスタンス識別子を転送するように機能する、アプリケーションサーバに組み入れられる。アプリケーションサーバは、ＥＩＲにルートされた、第２にフォーマットされたメッセージを転送する。ＥＩＲのデータベースは、分析を行い、メッセージは、アプリケーションサーバに戻される。アプリケーションサーバは、さらなる活動、例えば動作の許可、動作の却下、またはトレースの実施などを行う。
【００４１】
本発明の別の局面において、ＩＭＥＩＳＶは、ＳＩＰレジスタ要求またはモバイル機器からの他のＳＩＰメッセージで受信され、ＩＭＥＩは、ＥＩＲに転送される前またはＥＩＲによって確認される前に、ＩＭＥＩＳＶから引き出される。
【００４２】
従って、ＩＭＳベースのシステムに対して、ＥＩＲまたは他のネットワークデータベースノードへの容易なアクセスのための方法が提供され、ＥＩＲに関連して行われる動作を許可する。
【００４３】
これらおよび他の局面においては、従って、インターネットマルチメディアサブシステム（ＩＭＳ）モバイルネットワークにおけるネットワークデータベースノードへのアクセスを容易にする装置および関連した方法が提供される。プロトコル変換器は、第１のプロトコルに従ってフォーマットされたインスタンス識別子の、第１の表示を受信するように適合される。プロトコル変換器は、インスタンス識別子の表示を、第２のプロトコルに従ってフォーマットされたインスタンス識別子の第２の表示に変換するように構成される。フォーワーダは、ネットワークデータベースノード上の第２のプロトコルに従ってフォーマットされた、インスタンス識別子の第２の識別子を転送するように構成される。
【００４４】
最初に図１を参照すると、概して１０で示されるセルラー通信システムの複数の部分は、ここでユーザ機器（ＵＥ）１２と識別される、モバイル機器（ＭＥ）との無線通信を提供する。通信リンク１４は、部分的に無線波インタフェースを用いて形成され、ユーザ機器と通信システムのネットワーク部分との間に延びる。例示的な実装において、通信システムは、少なくとも部分的にＩＭＳ（ＩＰマルチメディアサブシステム）、すなわちモバイルネットワークから形成される。より一般的には、通信システムは、他のＩＰ（インターネットプロトコル）ベースのネットワークを含む、他の種類の通信システムを代表している。ここで、通信リンクは、ユーザ機器１２とＳ−ＣＳＣＦ（サービング−共通セッション制御機能）１６との間に延びる。Ｓ−ＣＳＣＦは、ユーザ機器の登録などのさまざまな機能を行いユーザ機器にサービスを提供する、ＩＭＳネットワーク規定のエンティティである。Ｓ−ＣＳＣＦは、ルーティングおよびトランスレーションの機能をさらに提供し、仲介システムにビリング情報を提供し、セッションタイマを維持し、かつ、承認、サービストリガリングおよびプロファイル関連の動作に従ってホーム加入者サーバ（図１には示されない）に対して問合せを行う。
【００４５】
Ｓ−ＣＳＣＦ１６は、次いで、ここでリンク１８を用いて別のＩＰベースのエンティティである、ＳＩＰ−ＡＳ（セッション開始プロトコル−アプリケーションサーバ）２２に接続される。ＳＩＰ−ＡＳは、従来のＳＩＰ関連のサービスおよび機能、信号ルーティングなどを行う。アプリケーションサーバは、次いで、ここで通信リンク２６を用いて機器識別レジスタ（ＥＩＲ）２６に接続される。ＥＩＲ２６は、例えばユーザ機器などのＩＭＥＩ、ＩＭＥＩＳＶ、ＥＳＮまたはＭＡＣアドレスなどの、ユーザ機器のインスタンス識別子とともにインデックスされたデータベースエントリを有するネットワークデータベースノードの例示および代表である。ここで、ＥＩＲはアクセス可能であり、ＥＩＲとの通信は、例えばＴＳ２９．００２においてより完全に定義された３ＧＰＰ  ＭＡＰフォーマット、またはＤＩＡＭＥＴＥＲに基づいた将来のフォーマットに従って、実行可能である。アプリケーションサーバ２２および機器識別レジスタは、別個のエンティティとして表される。一実装において、ブロック２８によって示されるように、エンティティは、共通のプラットフォームに、共に組み入れられる。
【００４６】
例示的な動作において、ユーザ機器１２は、通信リンク１４を用いて、Ｓ−ＣＳＣＦ１６にメッセージを登録または送信する。インスタンス識別子は、ＵＥが、自ら開始するか他の開始に応答するかのいずれかによって送信する、メッセージに含まれる。インスタンス識別子は、ＵＥを識別し、ここで、例えばユーザ機器のＩＭＥＩまたはＩＭＥＩＳＶなどを形成する。メッセージとして、ＩＭＳにおいては、モバイルネットワークはＩＰベースのメッセージであり、ここではＳＩＰメッセージであり、その中に含まれたインスタンス識別子は、データベースアクセスおよびその上での動作のプロセッシングのための、ＥＩＲ上での迅速なルートが不可能である。
【００４７】
本発明の実施形態に従って、アプリケーションサーバは、概して３６で示される、本発明の実施形態の装置を含む。装置３６は、例えばプロセッシング回路によって実行可能なアルゴリズムによるものを含む任意の所望の方法で実装が可能な、機能的エンティティから形成される。ここで、該エンティティは、プロトコル変換器３８およびフォーワーダ４２を含む。インスタンス識別子を含むＳＩＰまたは他のＩＰベースのメッセージが、Ｓ−ＣＳＣＦを用いてアプリケーションサーバにルートされるときには、インスタンス識別子またはその表示が、プロトコル変換器に提供される。プロトコル変換器は、ＩＰベースのインスタンス識別子をＭＡＰフォーマットまたはＤＩＡＭＥＴＥＲフォーマットに変換するように動作する。また、変換されると、インスタンス識別子は、フォーワーダ４２に提供され、メッセージは機器識別レジスタ上に転送される。また、受信されると、ＥＩＲの従来の動作が許可される。従って、装置の動作を介して、ＩＭＥＩまたはＩＭＥＩ−ＳＶ（あるいは、ＭＩＮアドレスまたはＭＡＣアドレスなど）を受信するＳＩＰアプリケーションサーバは、ＭＡＰフォーマットまたはＤＩＡＭＥＴＥＲフォーマットされたメッセージを用いて、インスタンス識別子上に転送する。その次のＥＩＲの動作は、応答を提供する。インスタンス識別子は、登録、セッション発信、セッション終了、ミッドセッションの間、ＳＭＳ発信またはＳＭＳ終了に従って提供される。インスタンス識別子を含むＳＩＰベースまたは他のＩＰベースのメッセージは、ＭＡＰフォームまたはＤＩＡＭＥＴＥＲフォームでＥＩＲに報告されるか、またはＥＩＲへの中間ノード、例えばＨＳＳ、ＳＩＰ  ＡＳなどを介して報告される。ＥＩＲの動作は、例えば、関連したセッションまたは登録が許可されるべきか、モニタリングとともに許可されるべきか、選択された期間に対して許可されるべきか、または却下されるべきかを決定する。ＥＩＲの他の動作も、勿論可能である。
【００４８】
図２は、概して５２で示されるメッセージのシーケンス図を例示し、本発明の実施形態の動作の間に、図１において示される通信システムの動作の間に生成された、例示的なシグナリングを表す。ユーザ機器１２、Ｓ−ＣＳＣＦ１６、アプリケーションサーバ（ＡＳ）２２およびＥＩＲ２６の間のシグナリングが示される。
【００４９】
ユーザ機器によるセグメント５８によって示されるユーザ機器のＩＭＥＩまたはＩＭＥＩＳＶを含む登録メッセージは、Ｓ−ＣＳＣＦに送信および伝達される。２００Ｏｋメッセージ６２は、ユーザ機器に戻される。Ｓ−ＣＳＣＦは、次いでセグメント６４によって示されるレジスタメッセージを、アプリケーションサーバ２２に送信する。これは、アプリケーションサーバがＳＩＰ  ２００ＯｋをＳＩＰ登録メッセージに戻し、次いで、ＳＩＰ  ＳＵＢＳＣＲＩＢＥメッセージを用いて、Ｓ−ＣＳＣＦにおいて登録イベントパッケージに加入させる。Ｓ−ＣＳＣＦは、ＳＩＰ  ＳＵＢＳＣＲＩＢＥメッセージにＳＩＰ  ２００Ｏｋを用いて応答し、ＩＭＥＩまたはＩＭＥＩＳＶを含むアプリケーションサーバにＳＩＰ  ＮＯＴＩＦＹを送信する。代替的な実施形態において、図２において示されるメッセージとは対照的に、登録メッセージは、ＩＭＥＩまたはＩＭＥＩ−ＳＶ値を含まない。この代替的な実装において、登録イベントパッケージＲＦＣ  ３６８０に対する加入は、コンタクトのインスタンスＩＤにおけるＩＭＥＩ／ＩＭＥＩＳＶを取得するためにサードパーティの登録メッセージを受信するときに、用いられる。プロトコル変換が行われ、可能性としては、ＩＭＥＩがＩＭＥＩＳＶから引き出され、ＩＭＥＩおよび／またはＩＭＥＩＳＶは、ＭＡＰメッセージ、ここでは、セグメント６６によって示されるＭＡＰ確認ＩＭＥＩメッセージまたはＩＭＥＩＳＶ確認メッセージで転送される。セグメント６８によって示される２００Ｏｋメッセージは、Ｓ−ＣＳＣＦ１６に、アプリケーションサーバによって戻される。セグメント７２で示される承認メッセージは、ＥＩＲによってアプリケーションサーバに戻される。また、セグメント７４によって示されるＣｘ登録抹消メッセージは、Ｓ−ＣＳＣＦに戻される。
【００５０】
すなわち、ＳＩＰ登録を受信し、サードパーティの登録がフィルター基準の一部として設定されると、登録は、アプリケーションサーバに送信される。「ヘッダへ（ｔｏ  ｈｅａｄｅｒ）」の部分は、サービスプロファイル基準に属する、除外されないパブリックユーザ識別を含む。識別は、例えばユーザ機器から受信した登録要求に含まれるパブリックユーザ識別、または通信システムのオペレータによって構成されたサービスプロファイルにおける、暗に登録されたパブリックユーザの識別である。加えて、インスタンス識別子はまた、登録イベントパッケージへの加入の結果として送信されたＳＩＰ  ＮＯＴＩＦＹで、ＳＩＰアプリケーションサーバに送信される。インスタンス識別子は、例えばＩＭＥＩ、ＩＭＥＩＳＶ、または機器の特徴を固有に識別する別の識別子である。該特徴は、例えばユーザ機器の製造者、その製造国、そのソフトウェアロード、ロードのソフトウェアバージョン、ハードウェアロード、ロードのハードウェアバージョンなどを含む。
【００５１】
Ｓ−ＣＳＣＦは、アプリケーションサーバから戻ってくる２００Ｏｋメッセージを受信する。Ｓ−ＣＳＣＦは、セグメント７４で示されるネットワーク登録抹消メッセージをさらに受信する。ネットワークの登録抹消が提供される場合には、登録抹消において受信されたそのＡＯＲに対するプロファイル、およびＡＯＲと関連した他のパブリックユーザの識別子の全てが消去される。
【００５２】
図３は、概して７６で示されるメッセージのシーケンス図を例示し、再びユーザ機器、Ｓ−ＣＳＣＦ１６、アプリケーションサーバ２２およびＥＩＲ２６の間のシグナリングを表す。ここで、登録イベントを表すシグナリングが示される。セグメント８２によって示される加入者メッセージは、アプリケーションサーバによってＳ−ＣＳＣＦに提供される。また、セグメント８４によって示される２００Ｏｋメッセージが戻される。セグメント８５によって示されるユーザ機器１２のＩＭＥＩまたはＩＭＥＩＳＶを含む登録メッセージは、ユーザ機器によってＳ−ＣＳＣＦに送信される。また、セグメント８６によって示される２００Ｏｋメッセージは、ユーザ機器に戻される。
【００５３】
セグメント８８によって示されるＩＭＥＩまたはＩＭＥＩＳＶを含む通知メッセージは、Ｓ−ＣＳＣＦによってアプリケーションサーバに提供される。セグメント９２によって示される２００Ｏｋメッセージが、応答として戻される。ＩＭＥＩＳＶからのＩＭＥＩのプロトコル変換および可能性として導出が、アプリケーションサーバにおいて行われ、セグメント９４によって示されるＭＡＰメッセージが生成される。ＭＡＰメッセージは、確認ＩＭＥＩメッセージである。ＥＩＲは、セグメント９６によって表されたＭＡＰメッセージに応答し、その受信を承認する。ここで、セグメント９８によって示される登録抹消メッセージは、アプリケーションサーバによってＳ−ＣＳＣＦに戻される。
【００５４】
ＳＩＰ登録を受信し、アプリケーションが登録イベントパッケージに加入されると、Ｓ−ＣＳＣＦは、その状態および変更理由とともに、ＳＩＰ  ＲＥＧイベントを送信する。Ｓ−ＣＳＣＦは、アプリケーションサーバから戻ってくる２００Ｏｋメッセージを受信する。Ｓ−ＣＳＣＦは、セグメント９８によって示される、その後のネットワーク登録抹消メッセージを受信するようにさらに示される。
【００５５】
図４は、概して１０６で示される、メッセージのシーケンス図を例示し、再び要素１２、１６、２２および２６の間のシグナリングを表す。ここで、シグナリングは、アプリケーションサーバ２２がプロキシまたはＢ２ＢＵＡとして機能するシナリオを表す。ここで再び、ユーザ機能は、セグメント１０８によって示される招待メッセージにおいて、Ｓ−ＣＳＣＦにそのＩＭＥＩまたはＩＭＥＩＳＶを提供する。Ｓ−ＣＳＣＦは、アプリケーションサーバに、セグメント１１２で示される招待を送信する。プロトコル変換がアプリケーションサーバにおいて行われ、セグメント１１４によって示されるＭＡＰメッセージが、ＥＩＲ２６に転送される。ＭＡＰメッセージは、確認ＩＭＥＩメッセージを形成する。セグメント１１６によって示されるＭＡＰ応答メッセージが、アプリケーションサーバに戻される。ＭＡＰメッセージは、確認ＩＭＥＩ承認メッセージを形成する。セグメント１１８によって示される招待メッセージも、アプリケーションサーバによってＳ−ＣＳＣＦに送信される。また、セグメント１２２によって示される登録抹消メッセージも、アプリケーションサーバによってＳ−ＣＳＣＦに戻される。
【００５６】
ここで、ダイアログの最初を形成するＳＩＰメッセージを受信すると、該メッセージは、アプリケーションサーバに送信される。Ｓ−ＣＳＣＦは、次いで、例えばセグメント１２２によって示されるネットワーク登録抹消を受信する。ネットワーク登録抹消が受信された場合には、登録抹消において受信されたそのＡＯＲに対するプロファイル、およびそのＡＯＲと関連する他のパブリックユーザＩＤの全てが削除される。
【００５７】
アプリケーションサーバは、いつインスタンス識別子、例えばＩＭＥＩ、ＩＭＥＩ−ＳＶ、ＥＳＮ（機器セキュリティ番号）などが確認されるべきかの情報を含む。この情報は、例えば予め構成されている。確認は、例えば登録の受信時、モバイル発信の招待メッセージの受信時、またはモバイル終了の招待メッセージの受信時の確認を含む。ＳＩＰメッセージ、例えば登録メッセージ、招待メッセージなどをＳ−ＣＳＣＦを用いて受信すると、アプリケーションサーバは、次いでインスタンス識別子がメッセージの一部として受信されたかどうかを確認するように機能する。２００６年５月２日に出願された米国特許出願第１１／４１６，４６５号および２００６年８月１１日に出願された米国特許出願第１１／５０３，４６５号の譲受人の同時係属中の特許出願は、ＩＭＥＩがどのようにＩＮＶＩＴＥにおけるＧＲＵＵに含まれ得るかを記述している。インスタンス識別子が受信された場合には、該識別子は、適切なプロトコルを用いて別のネットワークノードまたは機能性エンティティに送信されることによって、識別子と関連したユーザ機器の状態を決定する。プロトコル変換が、３ＧＰＰ  ＭＡＰ、３ＧＰＰ２  ＭＡＰまたはＤＩＡＭＥＴＥＲまたは別のＳＩＰメッセージを形成するために行われる。このようにして、アプリケーションサーバは、回路交換ネットワークのＭＳＣ／ＳＧＳＮに類似して機能し、アプリケーションサーバは、受信したインスタンスＩＤが受信したメッセージに含まれることを保証し、ＭＡＰ確認ＩＭＥＩメッセージ／ＭＡＰ確認ＩＭＥＩＳＶメッセージの構築をもたらす。メッセージは、ＳＩＰ登録メッセージの一部として受信されたＩＭＥＩまたはＩＭＥＳＶを含む。メッセージは、例えばＴＳ２９．００２において特定されたそのフォーマットを取る。受信したインスタンスＩＤがＩＭＥＩまたはＩＭＥＩＳＶ、あるいは均等物ではなく、アプリケーションサーバが他のプロトコルを支持する場合には、アプリケーションサーバは、受信したインスタンスＩＤの種類に基づいて、他のどのプロトコルが用いられるかを決定する。アプリケーションサーバは、確認メッセージに対する応答を含むＥＩＲから戻ってくるＭＡＰ承認メッセージを受信する。アプリケーションサーバの挙動は、それに応答して、動作の進行を許可するか、動作を終了させるか、または動作をトレースさせる。
【００５８】
サードパーティの登録手順において、ＳＩＰ登録を受信すると、アプリケーションサーバは、Ｓ−ＣＳＣＦに２００Ｏｋメッセージを送信し、次いでその結果として、インスタンスＩＤがメッセージの中に含まれるかどうかを確認する。含まれる場合には、アプリケーションサーバは、何の動作が取られるべきかを確認する。あるいは、アプリケーションサーバは、Ｓ−ＣＳＣＦからサードパーティの登録を受信すると、登録イベントパッケージに加入することによって、インスタンスＩＤを取得し得る。インスタンスＩＤが確認されるべきであるというポリシーが構成された場合には、アプリケーションサーバは、受信した入力インスタンスＩＤコーディング、例えば３ＧＰＰ  ＭＡＰ確認ＩＭＥＩまたはＭＡＰ確認ＩＭＥＩＳＶに特有なアウトバウンドプロトコルＰＤＵ（パケットデータユニット）を構築する。ＩＭＥＩまたはＩＭＥＩＳＶパラメータは、例えば、インスタンスＩＤに含まれたＵＲＮとして符号化される。この例において、アプリケーションサーバは、呼出しサービス制御機能に類似して機能し、承認を待つ。承認は、直前に言及された応答などの、３つの応答のうちの１つを提供する。動作が進行することを許可された、すなわちホワイトリストされた場合には、アプリケーションサーバは、追加動作を行う必要がない。動作が終了される、すなわちブラックリストされる場合には、アプリケーションサーバは、受信したＡＯＲに対するＳ−ＣＳＣＦにＳＩＰ登録抹消メッセージを送信する。
【００５９】
登録イベント手順に応じて、ＳＩＰ通知メッセージを受信すると、アプリケーションサーバは、インスタンスＩＤが登録イベントに対して受信したＡＯＲとともに含まれたかどうかを確認する。２００Ｏｋが、ＳＩＰ通知を送信したノードに戻るように送信される。その場合には、アプリケーションサーバは、何の動作が取られるべきかを確認する。インスタンスＩＤが確認されるべきであるようにポリシーが構成された場合には、アプリケーションサーバは、受信した入力インスタンスＩＤコーディング、例えばＭＡＰまたはＤＩＡＭＥＴＥＲメッセージに特有なアウトバウンドプロトコルＰＤＵを構築する。ＩＭＥＩまたはＩＭＥＩＳＶパラメータは、インスタンスＩＤに含まれたＵＲＮとして符号化される。アプリケーションサーバは、呼出し／サービス制御機能に類似して機能し、承認を待つ。承認は、直前に記述された、３つの応答のうちの１つを提供する。動作が進行することを許可された場合には、アプリケーションサーバは、追加動作を行う必要はない。アプリケーションが終了される場合には、登録抹消メッセージが、受信したＡＯＲに対するＳ−ＣＳＣＦに送信される。
【００６０】
アプリケーションサーバがプロキシまたはＢ２ＢＵＡとして機能するときには、登録メッセージ、入力招待メッセージ、出力招待メッセージなどのセットメッセージを受信すると、アプリケーションサーバは、インスタンスＩＤが受信したＡＯＲとともに含まれるかどうかを確認する。
【００６１】
招待メッセージが受信される場合には、アプリケーションサーバは、何の動作が取られるべきかを確認する。インスタンス識別子が確認されるべきであるようにポリシーが構成された場合には、アプリケーションサーバは、受信された入力インスタンス識別子コーディング、例えばＭＡＰまたはＤＩＡＭＥＴＥＲメッセージに特有であるアウトバウンドプロトコルＰＤＵを構築する。ＩＭＥＩまたはＩＭＥＩＳＶパラメータは、インスタンス識別子に含まれたＵＲＮとして符号化される。アプリケーションサーバは、再び呼出し／サービス制御機能に類似して機能し、承認を待つ。承認は、直前に述べられた３つの応答のうちの１つを提供する。動作が進行することを許可された場合には、アプリケーションサーバは、追加動作を行う必要はない。動作が終了される場合には、適切なＳＩＰ手順を用いるＳＩＰダイアログが実行される。動作がトレースされるべきである場合には、アプリケーションサーバは、ＳＩＰダイアログをトレースするが、これは、アプリケーションサーバがダイアログに関連した全てのＳＩＰメッセージを記録し、後の日付における使用のためにそれらを得ることを意味する。
【００６２】
図５は、概して１３２で示される、方法の流れ図を示し、本発明の実施形態の動作の方法を表す。方法１３２は、ＩＭＳモバイルネットワークにおけるネットワークデータベースノードへのアクセスを容易にする。
【００６３】
最初に、ブロック１３４によって示されるように、インスタンス識別子の第１の指示が、モビリティ関連のイベントに従って提供される。インスタンス識別子は、第１のプロトコルに従ってフォーマットされる。次いで、ブロック１３６によって示されるように、インスタンス識別子の第１の指示は、第１のプロトコルに従ってフォーマットされ、インスタンス識別子の第２の指示に変換される。第２のインスタンス識別子は、第２のプロトコルに従ってフォーマットされる。
【００６４】
次いで、ブロック１３８によって示されるように、インスタンス識別子の第２の指示が、さらなる動作が実行されるネットワークデータベースノード上に転送される。
【図面の簡単な説明】
【００６５】
【図１】図１は、本発明の実施形態が動作可能であるセルラー無線通信システムの複数の部分のアーキテクチャの機能的ブロック図を例示する。
【図２】図２は、本発明の実施形態の動作の間に生成される例示的なシグナリングを表す、メッセージのシーケンスの図を例示する。
【図３】図３は、図２に示された図と似た別のメッセージのシーケンスの図を例示するが、ここでは本発明の実施形態の代替の動作の間に生成されるシグナリングを表す。
【図４】図４は、図２および図３に示された図と似たメッセージのシーケンスの図を例示するが、ここでは本発明の実施形態のさらなる代替の動作の間に生成される例示的なシグナリングを表す。
【図５】図５は、本発明の実施形態の動作に関する方法を表す、方法の流れ図を例示する。
【符号の説明】
【００６６】
１０  セルラー通信システム
１２  ユーザ機器
１４  通信リンク
１６  サービング共通セッション制御機能
２２  アプリケーションサーバ
２６  機器識別レジスタ
３８  プロトコル変換器
４２  フォーワーダ
【図１】
2008172794.tif 000003
【図２】
2008172794.tif 000004
【図３】
2008172794.tif 000005
【図４】
2008172794.tif 000006
【図５】
2008172794.tif 000007